(57)【要約】【課題】携帯端末に設けられたコネクタの損傷を防止することができるコネクタの保護部材を提供する。【解決手段】携帯端末Ａに設けられたコネクタＡ１に、オーディオ装置１に設けられ所定の角度範囲内で前方に傾動自在な装置側コネクタ３１を下方から嵌合した状態で、装置側コネクタ３１と共に前方に傾動する携帯端末Ａに押圧されて、前方に移動する押圧受け部６３と、押圧受け部６３の前方への移動に伴って、携帯端末Ａを上方に押し上げる押上げ部６２と、を備えた。【選択図】図５
2014085788.tif 000002
【特許請求の範囲】
【請求項１】
携帯端末に設けられたコネクタに、電子機器に設けられ所定の角度範囲内で前方に傾動自在なコネクタ接続部を下方から嵌合した状態で、前記コネクタ接続部と共に前方に傾動する前記携帯端末に押圧されて、前方に移動する押圧受け部と、
前記押圧受け部の前方への移動に伴って、前記携帯端末を上方に押し上げる押上げ部と、
を備えたことを特徴とするコネクタの保護部材。
【請求項２】
前記携帯端末の傾動により前記押圧受け部で受けた荷重を、前記押上げ部の押上げ力として作用させることを特徴とする請求項１に記載のコネクタの保護部材。
【請求項３】
前記押圧受け部で、傾動する前記携帯端末からの荷重を受けて回転し、当該回転により、前記押上げ部で前記携帯端末を押し上げることを特徴とする請求項２に記載のコネクタの保護部材。
【請求項４】
前記押上げ部を有し、前記押上げ部より前方において上面に前記押圧受け部を突設したベース部を、更に備え、
前記ベース部は、その前端部が前記電子機器に設けられた段部に当接し、当該前端部を支点として回転自在に配設されていることを特徴とする請求項３に記載のコネクタの保護部材。
【請求項５】
前記押圧受け部は、特定の角度を超えて前方に傾動する前記携帯端末に押圧されて、前方に移動することを特徴とする請求項１ないし４のいずれか１項に記載のコネクタの保護部材。
【請求項６】
所定の角度範囲内で前方に傾動自在なコネクタ接続部と、
携帯端末に設けられたコネクタに前記コネクタ接続部を下方から嵌合した状態で、前記コネクタ接続部と共に前方に傾動する前記携帯端末に押圧されて、前方に移動する押圧受け部と、
前記押圧受け部の前方への移動に伴って、前記携帯端末を上方に押し上げる押上げ部と、
を備えたことを特徴とする電子機器。
【請求項７】
筐体上に凹設された凹部と、
前記凹部に載置されると共に、前記押上げ部を有し、前記押上げ部より前方において上面に前記押圧受け部を突設したベース部と、
を更に備え、
前記ベース部は、その前端部が前記凹部の内側面に当接し、当該前端部を支点として回転自在に配設され、前記押圧受け部で、傾動する前記携帯端末からの荷重を受けて回転し、当該回転により、前記押上げ部で前記携帯端末を押し上げることを特徴とする請求項６に記載の電子機器。
【発明の詳細な説明】
【技術分野】
【０００１】
本発明は、タブレット型コンピュータやスマートフォン等の携帯端末に設けられたコネクタを保護するコネクタの保護部材および電子機器に関するものである。
【背景技術】
【０００２】
従来、クレードル装置として、上方に後端側に傾斜して延出され、ＰＤＡ（携帯端末）を受けるＰＤＡ受け部と、ＰＤＡ受け部の開口部から突出されるＩ／Ｏコネクタと、Ｉ／Ｏコネクタを実装したプリント基板と、プリント基板が立て掛けるように嵌め込まれた一対の突起部と、を備えたものが知られている（特許文献１参照）。ＰＤＡ受け部の開口部は、Ｉ／Ｏコネクタのサイズより若干大きめに形成されている。そして、Ｉ／Ｏコネクタは、この開口部の開口サイズで規定される可動範囲内でプリント基板を介して突起部を支点に傾動自在に支持されている。このように、Ｉ／Ｏコネクタを前後に傾動自在に支持することで、ＰＤＡの着脱作業時におけるクレードル装置側のＩ／Ｏコネクタの損傷を防いでいる。具体的には、ＰＤＡ装着時において、ユーザーがＰＤＡを前後に振って無理矢理こじ入れるように装着しようとした場合でも、Ｉ／ＯコネクタがＰＤＡに追従して動くので、そのときに生じる負荷を軽減することができる。
【先行技術文献】
【特許文献】
【０００３】
【特許文献１】特開２００３−３０９６３７号公報
【発明の概要】
【発明が解決しようとする課題】
【０００４】
しかしながら、このような構成では、ＰＤＡに前方への強い荷重をかかった場合、ＰＤＡ側のコネクタが損傷してしまう虞があるという問題があった。例えば、クレードル装置に装着したＰＤＡに人の手等がぶつかったとき、ＰＤＡを装着したＩ／Ｏコネクタが、開口部により規制される傾動前端位置まで傾動した状態で、ＰＤＡに前方への強い荷重がかかる事態が生じる。その結果、比較的な脆弱なＰＤＡ側のコネクタに強い荷重がかかり、その負荷によって、コネクタを損傷させる虞が生じた。
【０００５】
本発明は、携帯端末に設けられたコネクタの損傷を防止することができるコネクタの保護部材および電子機器を提供することを課題としている。
【課題を解決するための手段】
【０００６】
本発明のコネクタの保護部材は、携帯端末に設けられたコネクタに、電子機器に設けられ所定の角度範囲内で前方に傾動自在なコネクタ接続部を下方から嵌合した状態で、コネクタ接続部と共に前方に傾動する携帯端末に押圧されて、前方に移動する押圧受け部と、押圧受け部の前方への移動に伴って、携帯端末を上方に押し上げる押上げ部と、を備えたことを特徴とする。
【０００７】
本発明の電子機器は、所定の角度範囲内で前方に傾動自在なコネクタ接続部と、携帯端末に設けられたコネクタにコネクタ接続部を下方から嵌合した状態で、コネクタ接続部と共に前方に傾動する携帯端末に押圧されて、前方に移動する押圧受け部と、押圧受け部の前方への移動に伴って、携帯端末を上方に押し上げる押上げ部と、を備えたことを特徴とする。
【０００８】
これらの構成によれば、携帯端末が前方に傾動すると、これに押圧されて押圧受け部が前方に移動する。これに伴って、押上げ部が携帯端末を上方に押し上げる。その結果、携帯端末のコネクタがコネクタ接続部から外れ、携帯端末が電子機器から取り外される。すなわち、携帯端末が前方に傾動すると、携帯端末のコネクタが、コネクタ接続部から自動的に外れる構成であるため、コネクタ接続部が傾動前端位置まで傾動した状態で、携帯端末のコネクタに強い荷重がかかることがなく、当該コネクタへの負荷を避けることができる。よって、携帯端末に設けられたコネクタの損傷を防止することができる。
【０００９】
上記のコネクタの保護部材において、携帯端末の傾動により押圧受け部で受けた荷重を、押上げ部の押上げ力として作用させることが好ましい。
【００１０】
この構成によれば、携帯端末からの荷重を利用して、携帯端末を押し上げる構成であるため、携帯端末を押し上げるのに特段の駆動機構を必要とせず、コネクタの保護部材を簡単な構成にすることができる。
【００１１】
この場合、押圧受け部で、傾動する携帯端末からの荷重を受けて回転し、当該回転により、押上げ部で携帯端末を押し上げることが好ましい。
【００１２】
また、押上げ部を有し、押上げ部より前方において上面に押圧受け部を突設したベース部を、更に備え、ベース部は、その前端部が電子機器に設けられた段部に当接し、当該前端部を支点として回転自在に配設されていることが好ましい。
【００１３】
これらの構成によれば、コネクタの保護部材が回転して、前方への荷重を上方への荷重（押上げ力）に変換する構成であるため、複雑な機構を必要とせず、コネクタの保護部材をより簡単な構成にすることができる。特に、摩擦等により回転時の抵抗を調整することで、通常使用時の弱い荷重では、保護部材による押上げを作動させず、上記のような強い荷重では、保護部材による押上げを作動させることができる。
【００１４】
一方、押圧受け部は、特定の角度を超えて前方に傾動する携帯端末に押圧されて、前方に移動することが好ましい。
【００１５】
この構成によれば、特定の角度までの前方への傾動では、保護部材による押上げが作動しないので、携帯端末の通常使用時に、保護部材による押上げが作動してしまうことがない。
【００１６】
上記の電子機器において、筐体上に凹設された凹部と、凹部に載置されると共に、押上げ部を有し、押上げ部より前方において上面に押圧受け部を突設したベース部と、を更に備え、ベース部は、その前端部が凹部の内側面に当接し、当該前端部を支点として回転自在に配設され、押圧受け部で、傾動する携帯端末からの荷重を受けて回転し、当該回転により、押上げ部で携帯端末を押し上げることが好ましい。
【００１７】
この構成によれば、携帯端末からの荷重を利用して、携帯端末を押し上げる構成であるため、携帯端末を押し上げるのに特段の駆動機構を必要とせず、電子機器を簡単な構成にすることができる。また、ベース部が回転して、前方への荷重を上方への荷重に変換する構成であるため、複雑な機構を必要とせず、電子機器をより簡単な構成にすることができる。特に、摩擦等により回転時の抵抗を調整することで、通常使用時の弱い荷重では、携帯端末の押上げを作動させず、上記のような強い荷重では、携帯端末の押上げを作動させることができる。
【図面の簡単な説明】
【００１８】
【図１】本発明の一実施形態に係るオーディオ装置を示した斜視図である。
【図２】（ａ）は、端末装着部を示した斜視図である。（ｂ）は、コネクタ保護部材がセットされる前の端末装着部を示した斜視図である。
【図３】コネクタ支持部周りを示した断面図である。
【図４】コネクタ保護部材周りを示した断面図である。
【図５】コネクタ保護部材によるコネクタの保護動作を示した説明図である。
【発明を実施するための形態】
【００１９】
以下、添付の図面を参照して、本発明の一実施形態に係るコネクタの保護部材および電子機器について説明する。本実施形態では、本発明のコネクタの保護部材を適用したオーディオ装置（電子機器）を例示する。このオーディオ装置は、携帯端末を装着可能とし、装着した携帯端末からの音声信号の出力制御を行う音声出力制御装置である。特に、本オーディオ装置は、装着した携帯端末に前方側への強い荷重がかかったときに、携帯端末に設けられたコネクタを保護する保護構造を有したものである。なお、本実施形態では、携帯端末として、ｉＰａｄ（登録商標）等のタブレット型コンピュータを装着した場合を例示している。
【００２０】
図１に示すように、オーディオ装置１は、筐体１１の上面前部および前面に配設された操作部１２と、筐体１１の背面に配設された端子部１３と、筐体１１の上面中央に配設され、扁平長方体状の携帯端末Ａを装着する端末装着部１４と、を備えている。操作部１２は、各種操作子（図示省略）を有し、音声信号出力の各種操作を行うためのものである。一方、端子部１３は、各種端子（図示省略）を有し、外部スピーカー等の外部機器を接続する。オーディオ装置１は、携帯端末Ａからの音声信号を、端子部１３を介して接続した外部スピーカーに出力する。
【００２１】
図１および図２に示すように、端末装着部１４は、筐体１１上面に平面視角丸長方形状に浅く凹陥された方形凹部（凹部）２１と、方形凹部２１を開閉する角丸長方形状且つ板状の開閉板部２４と、開閉板部２４の裏面（図中前面）の下端中央部に連なり、開閉板部２４の開閉（回動）に伴って一体に回動し、方形凹部２１の中央後方寄りに開口形成された開口部２１ａから出没する可動装着部２２と、方形凹部２１上に載置され、装着された携帯端末ＡのコネクタＡ１を保護する左右一対のコネクタ保護部材（保護部材）２３と、を備えている。
【００２２】
開閉板部２４および可動装着部２２は、可動装着部２２（カバー部材４１）の後端部に設けられた左右一対のヒンジを介して、装置側コネクタ３１（後述する）を上方に露出する開放位置と、開閉板部２４の表面（図中背面）が筐体１１上面と面一となると共に裏面側に装置側コネクタ３１を隠す閉塞位置との間で回動自在に支持されている。一方、コネクタ保護部材２３は、開閉板部２４および可動装着部２２が開放位置に回動した状態で、方形凹部２１上に着脱可能にセットされている。図１および図２（ａ）では、開閉板部２４および可動装着部２２が開放位置にロックされ、その状態で、コネクタ保護部材２３が方形凹部２１にセットされたものを示す。また、図２（ｂ）では、開閉板部２４および可動装着部２２が開放位置にロックされ、コネクタ保護部材２３がセットされる前のものを示す。なお、符号２６は、可動装着部２２のロックを解除するロック解除レバーである。また、以下の説明では、特段の断りがない限り、開閉板部２４および可動装着部２２が開放位置に位置しているものとする。
【００２３】
開閉板部２４は、開放位置において上方に向けて後傾しており、裏面側（図中前面側）の上端中央部に、左右に細長い角丸長方形状に突設した突起部３７と、突起部３７の下方に長方形状に浅く凹陥された凹陥部３８と、を有している。開閉板部２４は、斜め上向き姿勢の携帯端末Ａの背面を突起部３７で受ける。これにより、開閉板部２４が、携帯端末Ａを、斜め上向き姿勢（後述の斜め姿勢）に保持すると共に、携帯端末Ａに後方への荷重がかかったときに当該荷重を受ける。なお、方形凹部２１の前端中央部には、細長い角丸長方形状に凹設された係合凹部２１ｂが形成されており、閉塞位置にある開閉板部２４の突起部３７が係合凹部２１ｂに係合する。
【００２４】
図２および図３に示すように、可動装着部２２は、携帯端末Ａの下面に設けられたコネクタＡ１と接続する薄い長方体状の装置側コネクタ３１と、装置側コネクタ３１が実装された回路基板３２と、装置側コネクタ３１を傾動自在（回動自在）に支持するコネクタ支持部３３と、を備えている。携帯端末Ａは、その表示面や操作面が配設された前面が、オーディオ装置１の前後を基準として、前向きとなるように装着される。
【００２５】
装置側コネクタ３１は、携帯端末ＡのコネクタＡ１と接続するコネクタ接続部である。オーディオ装置１では、装置側コネクタ３１を介して、携帯端末Ａからの音声信号を受信すると共に、各種制御信号を携帯端末Ａに送信する。加えて、装置側コネクタ３１を介して携帯端末Ａの充電を行うようにしても良い。また、本オーディオ装置１では、携帯端末ＡのコネクタＡ１に装置側コネクタ３１を下方から相対的に差し込む（嵌合）することで、携帯端末Ａを装着する。一方、装置側コネクタ３１を携帯端末ＡのコネクタＡ１から相対的に抜くことで、携帯端末Ａを取外し可能に構成されている。
【００２６】
図２および図３に示すように、コネクタ支持部３３は、略中央部に角丸長方形状に開口したカバー開口部４１ａを有したカバー部材４１と、カバー開口部４１ａから上端部を上方に突出させ、装置側コネクタ３１を支持する断面視略「凸」の字状の支持部材４２と、支持部材４２を回転自在に支持する回転支軸４３と、回転支軸４３に軸着されると共に径方向に延びる回動突起４４と、回動突起４４に当接し、回動突起４４および回転支軸４３を介して、支持部材４２を後方に回動付勢する板ばね４５と、を備えている。これにより、装置側コネクタ３１、回路基板３２、支持部材４２および装着された携帯端末Ａは、一体として回転支軸４３に傾動自在に支持されている。支持部材４２は、板ばね４５によって後方に付勢されているので、装着された携帯端末Ａは、支持部材４２および装置側コネクタ３１を介して、開閉板部２４側に常に付勢され、外力がない限り携帯端末Ａの背面が開閉板部２４に支持された状態となっている。そして、装置側コネクタ３１、回路基板３２、支持部材４２および携帯端末Ａは、前方端を９０°（筐体１１の上面に対し垂直）とする所定の角度範囲で前後に傾動自在となっている。すなわち、カバー開口部４１ａの開口縁が、支持部材４２に対する度当たりとなって、これらの傾動前端位置を規制している。なお、支持部材４２は、上面にスリット状に開口した支持開口部４２ａを有し、当該支持開口部４２ａに装置側コネクタ３１が嵌合する。
【００２７】
これにより、装置側コネクタ３１および装着された携帯端末Ａは、斜め上向きとなった斜め姿勢から、当該斜め姿勢から前方に傾動した垂直姿勢へと傾動自在となっている。すなわち、装置側コネクタ３１および携帯端末Ａは、前方への荷重を受けると、斜め姿勢から板ばね４５に抗して前方に傾動し、前方への荷重がなくなると、板ばね４５により後方へ回動付勢されて、斜め姿勢に戻る。このように、装置側コネクタ３１を傾動自在にすることで、コネクタＡ１の位置が異なる複数種の携帯端末Ａを装着可能に構成されている。
【００２８】
図２および図４に示すように、一対のコネクタ保護部材２３は、それぞれ方形凹部２１の左右にセットされ、装着した携帯端末Ａの前面および下面に臨んで配設されている。各コネクタ保護部材２３は、前後方向で方形凹部２１に遊嵌するように、方形凹部２１の底面に載置されることにより、方形凹部２１にセットされている。すなわち、各コネクタ保護部材２３は、筐体１１上に固定されておらず、フリーの状態で方形凹部２１上に設けられている。その結果、各コネクタ保護部材２３は、筐体１１（方形凹部２１）に対し、方形凹部２１が成す段部（内側壁）に当接する前端部を回転支点として、回転自在に設けられている。
【００２９】
各コネクタ保護部材２３は、例えば、樹脂成形により一体に成形されており、前後に長い長方形板状のベース部６１と、ベース部６１上面の前方寄りから斜め後方に突設された長方形板状の押圧受け部６３と、三角形板状に形成され、ベース部６１と押圧受け部６３との間にリブ状に設けられた左右一対の支持板部６４と、を備えている。
【００３０】
押圧受け部６３は、その先端部（上端部後面）が斜め姿勢の携帯端末Ａの前面に間隙を存して対向している。そして、押圧受け部６３は、携帯端末Ａが特定の角度θ（図５（ｂ）参照）まで傾動したときに、その先端部が携帯端末Ａの前面に当接し、特定の角度θを超えた傾動に伴う携帯端末Ａからの荷重を受ける。すなわち、一対のコネクタ保護部材２３は、各押圧受け部６３により、左右２箇所で、携帯端末Ａの前面を受ける構成となっている。なお、各押圧受け部６３は、携帯端末Ａの操作部や表示部を避けて、携帯端末Ａの前面に当接することが好ましい。また、携帯端末Ａとして、本例のようにタブレット型コンピュータを装着した場合、各押圧受け部６３が、携帯端末Ａの下部に当接する。
【００３１】
ベース部６１は、押圧受け部６３よりも後方寄りの箇所において、装着された携帯端末Ａの下面に対向（対面）しており、当該箇所が押上げ部６２として機能している。また、ベース部６１は、方形凹部２１の深さよりも薄い板状に形成されている。そして、その前端部（厳密には前端周側部）が、方形凹部２１が成す段部に当接して、上記回転支点として機能している。
【００３２】
押上げ部６２は、コネクタ保護部材２３の回転により、その上面が携帯端末Ａの下面に当接し、携帯端末Ａを上方に押し上げる。すなわち、一対のコネクタ保護部材２３は、各押上げ部６２により、左右２箇所で、携帯端末Ａの下面を押し上げる構成となっている。
【００３３】
ベース部６１は、当該前端部を回転支点として、携帯端末Ａの傾動により押圧受け部６３で携帯端末Ａから受けた荷重を、押上げ部６２による携帯端末Ａへの押上げ力として作用させる。すなわち、コネクタ保護部材２３では、ベース部６１の前端部を回転支点、押圧受け部６３の携帯端末Ａへの当接点（以下、第１当接点）を力点、押上げ部６２の携帯端末Ａへの当接点（以下、第２当接点）を作用点とし、携帯端末Ａからの前方荷重を、携帯端末Ａへの押上げ荷重に変換する。
【００３４】
なお、回転支点、第１当接点および第２当接点の位置関係は、第１当接点にかかる荷重の少なくとも一部が、回転支点を中心とする特定の周方向への荷重として分力され、当該特定の周方向への回転に伴う第２当接点から携帯端末Ａへの荷重の一部が、携帯端末Ａの押上げ力として分力される位置関係とする。本実施形態では、特に、コネクタ保護部材２３が方形凹部２１に着座した状態で、第１当接点が第２当接点より前方に位置し、回転支点が第１当接点より前方に位置している。また、回転支点および第２当接点が略同一高さに位置し、第１当接点が回転支点および第２当接点より上方に位置している。
【００３５】
また、コネクタ保護部材２３の回転時の抵抗は、通常使用時の弱い荷重では回転しないように調整されている。例えば、ベース部６１の前端部を、アールを設けずに角張った形状とすることで、ベース部６１と方形凹部２１との回転摩擦を増加させ、回転時における所定範囲内の摩擦抵抗を得る。
【００３６】
次に図５を参照して、装着された携帯端末Ａに前方への強い荷重（外力）がかかったときの、コネクタ保護部材２３によるコネクタＡ１の保護動作について説明する。「強い荷重がかかったとき」とは、例えば、人の手等が後方から携帯端末Ａにぶつかり、携帯端末Ａが前方に強い押圧された場合を想定している。
【００３７】
図５に示すように、携帯端末Ａに前方への強い荷重がかかると、携帯端末Ａが前方側に傾動していき、特定の角度θに達した時点で、携帯端末Ａの前面が各押圧受け部６３に当接する（図５（ｂ）参照）。そして、携帯端末Ａが特定の角度θを超えて傾動すると、傾動に伴う荷重によって、押圧受け部６３が前方に押圧され、押圧受け部６３が前方に移動する。その結果、押圧受け部６３に連なるベース部６１が回転支点を中心に回転し、押上げ部６２が上方に移動する。そして、押上げ部６２が携帯端末Ａの下面に当接する（図５（ｃ）参照）。
【００３８】
携帯端末Ａがさらに傾動すると、押圧受け部６３の前方への移動に伴って、押圧受け部６３で受けた傾動に伴う荷重が、押上げ部６２による押上げ力として作用し、装置側コネクタ３１に対し携帯端末Ａを上方に押し上げる（図５（ｄ）参照）。すなわち、押圧受け部６３で、傾動する携帯端末Ａからの荷重を受けて回転し、当該回転により、押上げ部６２で携帯端末Ａを押し上げる。別の言い方をすれば、コネクタＡ１の装置側コネクタ３１に対する抜き方向に、携帯端末Ａを押圧する。その結果、コネクタＡ１が装置側コネクタ３１から外れ、携帯端末Ａが端末装着部１４から取り外される（図５（ｅ）参照）。これによりコネクタＡ１の保護動作を終了する。
【００３９】
以上のような構成によれば、携帯端末Ａに前方への強い荷重がかかると、携帯端末ＡのコネクタＡ１が、装置側コネクタ３１から自動的に外れる構成であるため、装置側コネクタ３１が傾動前端位置まで傾動した状態で、携帯端末ＡのコネクタＡ１に強い荷重がかかることがなく、当該コネクタＡ１への負荷を避けることができる。よって、携帯端末Ａに設けられたコネクタＡ１の損傷を防止することができる。
【００４０】
また、押圧受け部６３で受けた荷重を、押上げ部６２の押上げ力として作用させる構造を有することで、携帯端末Ａからの荷重を利用して、携帯端末Ａを押し上げる構成であるため、携帯端末Ａを押し上げるのに特段の駆動機構を必要とせず、コネクタ保護部材２３を簡単な構成にすることができる。
【００４１】
さらに、コネクタ保護部材２３が回転して、前方への荷重を上方への荷重（押上げ力）に変換する構成であるため、複雑な機構を必要とせず、コネクタ保護部材２３をより簡単な構成にすることができる。
【００４２】
またさらに、携帯端末Ａが特定の角度θを超えて傾動したときに、押圧受け部６３が押され、コネクタ保護部材２３が回転する構成とすることで、特定の角度θまでの傾動では、コネクタ保護部材２３による押上げが作動せず、携帯端末Ａの通常使用時に、コネクタ保護部材２３による押上げが作動してしまうことがない。
【００４３】
なお、本実施形態においては、左右一対のコネクタ保護部材２３を用い、計２つの押圧受け部６３により左右２箇所で、携帯端末Ａの前面を受ける構成であったが、左右に延在した一体のコネクタ保護部材２３を用いても良い。具体的には、当該コネクタ保護部材２３は、左右に延在した押圧受け部６３を有し、携帯端末Ａの前面に対し、左右方向で線形に当接して荷重を受ける構成である。
【００４４】
また、本実施形態においては、コネクタ保護部材２３が、オーディオ装置１に対し固定されておらず、フリーの状態で着脱自在に配設された構成であったが、コネクタ保護部材２３が、オーディオ装置１に対し、上記の回転支点で回転自在に取り付けられている（回転自在に固定されている）構成であっても良い。
【００４５】
なお、本実施形態においては、携帯端末Ａとして、タブレット型コンピュータを装着したものを例示したが、携帯端末Ａとして、スマートフォンやポータブルオーディオ、携帯電話、ＰＤＡ（携帯情報端末）等を装着するものであっても良い。
【００４６】
また、本実施形態においては、オーディオ装置１に本発明を適用したが、携帯端末Ａを装着する電子機器であれば、特に限定されるものではない。例えば、映像機器、充電器もしくは、車載装置（カーナビゲーション装置やカーオーディオ装置のクレードル）に本発明を適用しても良い。
【符号の説明】
【００４７】
１：オーディオ装置、  ２１：方形凹部、  ２３：コネクタ保護部材、  ３１：装置側コネクタ、  ６１：ベース部、  ６２：押上げ部、  ６３：押圧受け部、  Ａ：携帯端末、  Ａ１：コネクタ、  θ：特定の角度
【図１】
2014085788.tif 000003
【図２】
2014085788.tif 000004
【図３】
2014085788.tif 000005
【図４】
2014085788.tif 000006
【図５】
2014085788.tif 000007